(57)【要約】【課題】男性性器の蒸れを防ぐ男性用蒸れ防止パンツを提供する。【解決手段】パンツ本体１０の前部内側に宛がわれた布片２０内側に男性性器の陰茎及び陰嚢を共に収容する内袋３０を形成する。布片２０には、性器挿通口２２を設けて、その性器挿通口周縁部２４には、性器挿通口２２の口径を大小に調整する弾性紐４０を装着する。布片２０とパンツ本体１０との左右側縁の接合箇所には、手の指を内袋内側に入れて、その指で男性性器を性器挿通口２２から内袋３０内側に導入補助する、指差し込み口５０を開口しておく。【選択図】図３
2006274519.tif 000002
【特許請求の範囲】
【請求項１】
パンツ本体の前部内側に宛がわれた布片の周縁部がパンツ本体に接合されて、その布片内側に男性性器の陰茎及び陰嚢を共に収容する、布片とパンツ本体とで囲まれた内袋が形成され、布片には、男性性器の陰茎及び陰嚢を共に布片外側から内袋に挿入する性器挿通口が設けられ、その布片の性器挿通口周縁部には、性器挿通口に挿通された男性性器部分の外径に合わせて、その性器挿通口周縁部を伸縮させて、性器挿通口周縁部で囲まれた性器挿通口の口径を大小に調整する伸縮可能な弾性紐が装着され、さらに、前記布片とパンツ本体との左右側縁の接合箇所には、手の指を内袋内側に入れて、その指で男性性器の陰茎及び陰嚢を共に前記性器挿通口から内袋内側に導入補助する、指差し込み口が開口されてなることを特徴とする男性用蒸れ防止パンツ。
【請求項２】
前記弾性紐が、前記布片の性器挿通口周縁部に沿ってスライド可能に装着されると共に、その弾性紐の一部が布片の性器挿通口周縁部から布片の外方に結ぶことが可能な状態に露出しており、その弾性紐の一部を結ぶ結び目の位置を変更することにより、その弾性紐が装着された布片の性器挿通口周縁部を伸縮させて、その布片の性器挿通口周縁部により囲まれた性器挿通口の口径が大小に調整可能に構成されたことを特徴とする請求項１記載の男性用蒸れ防止パンツ。
【発明の詳細な説明】
【技術分野】
【０００１】
本発明は、パンツ装着時における男性性器の蒸れを防ぐことのできる、男性用蒸れ防止パンツに関する。
【背景技術】
【０００２】
パンツ装着時には、男性性器に掛る自重で、その男性性器が下腹部や内股に密着した状態となる。そして、その男性性器が密着した下腹部や内股に不快なべたつき感を感じたり、その男性性器が密着した下腹部や内股の通気性が悪くなって、その下腹部や内股が汗で濡れた状態となったりする。さらには、その汗をかいた箇所に細菌が発生して、悪臭を放ったりする。この傾向は、夏季において特に著しい。
【０００３】
このような、パンツ装着時に、男性性器が下腹部や内股に密着した状態となって起こる様々の不快現象を排除する手段としては、特開平９−４１２０１号公報記載のような、蒸れ防止パンツが知られている。
このパンツでは、パンツ本体の前部内側に、男性性器挿通用の穴を持つ布片が装着された構造をしている。そして、その布片の穴から男性性器の陰茎及び陰嚢を共にパンツ本体と布片とで囲まれた布片内側部分に挿入する構造をしている。そして、男性性器が、下腹部や内股に密着した状態となるのを、布片で防ぐ構造をしている。
【特許文献１】特開平９−４１２０１号公報
【発明の開示】
【発明が解決しようとする課題】
【０００４】
しかしながら、上記公報記載のものは、そのパンツ本体の前部内側に装着された布片に男性性器挿通用の穴が単に開口された単純な構造をしていて、その穴から布片内部分に一旦挿入された男性性器の陰茎や陰嚢が、布片の穴を通して、布片外方に容易に抜け出てしまった。そして、その男性性器の陰茎や陰嚢が、上記のように、パンツ着用者の下腹部や内股に密着した状態となってしまった。この傾向は、パンツ着用者が、跳躍運動したり、不自然な姿勢を取ったり、横に寝たりした際などに、男性性器の陰嚢部分に特に発生しやすかった。
【０００５】
また、上記公報記載のものは、布片に男性性器挿通用の穴のみが開口された構造をしているために、その穴を通して男性性器の陰茎や陰嚢を共に布片内側に入れる際に、その穴の口径が小さくて、その穴から、男性性器を導入補助するための手の指を、男性性器と共に、挿入できなかった。その結果、その布片の穴を通して、手の指を用いて男性性器の陰茎や陰嚢を布片内側に共に導入する作業が、面倒であって、その男性性器の導入作業に多大な手数と時間が掛った。
なお、このような課題を解消するために、その布片に設ける男性性器挿通用の穴の口径を、その穴に手の指を男性性器と共に挿通可能なように、大きくする方法が考えられる。
しかしながら、そのようにした場合には、その布片の穴の口径が、男性性器の外径に比べて大きくなり過ぎてしまう。そして、その穴を通して、布片内側に一旦挿入された男性性器の陰茎や陰嚢が、布片外側に容易に抜け出してしまう。したがって、布片の穴の口径を、男性性器と共に、男性性器導入用の手の指を挿通するために、大きく広げることは、できない。
【０００６】
本発明は、これらの課題を解消可能な、男性用蒸れ防止パンツ（以下、パンツという）を提供することを目的としている。
【課題を解決するための手段】
【０００７】
このような目的を達成するために、本発明のパンツは、パンツ本体の前部内側に宛がわれた布片の周縁部がパンツ本体に接合されて、その布片内側に男性性器の陰茎及び陰嚢を共に収容する、布片とパンツ本体とで囲まれた内袋が形成され、布片には、男性性器の陰茎及び陰嚢を共に布片外側から内袋に挿入する性器挿通口が設けられ、その布片の性器挿通口周縁部には、性器挿通口に挿通された男性性器部分の外径に合わせて、その性器挿通口周縁部を伸縮させて、性器挿通口周縁部で囲まれた性器挿通口の口径を大小に調整する伸縮可能な弾性紐が装着され、さらに、前記布片とパンツ本体との左右側縁の接合箇所には、手の指を内袋内側に入れて、その指で男性性器の陰茎及び陰嚢を共に前記性器挿通口から内袋内側に導入補助する、指差し込み口が開口されてなることを特徴としている。
【０００８】
このような構成のパンツにおいては、布片に設けられた性器挿通口を通して、その布片とパンツ本体とで囲まれた内袋内側に、男性性器の陰茎及び陰嚢を共に挿入できる。そして、その内袋に、男性性器の陰茎及び陰嚢を共に収容できる。そして、その内袋に収容された男性性器が下腹部や内股に直接に密着した状態となるのを、布片により防ぐことができる。
また、その布片とパンツ本体とで囲まれた内袋に男性性器の陰茎及び陰嚢を共に収容した状態においては、その布片の性器挿通口周縁部に装着された伸縮可能な弾性紐を、その性器挿通口に挿通された男性性器の根本部等の部分の外径に合わせて、適度に伸縮させて、その弾性紐により、その性器挿通口周縁部を伸縮させることができる。そして、その性器挿通口周縁部で囲まれた性器挿通口の口径を、その性器挿通口に挿通された男性性器部分の外径に合わせて、大小に調整できる。そして、その性器挿通口に挿通された男性性器部分の外径に比べて、その性器挿通口の内径が大き過ぎて、その性器挿通口から内袋に収容された男性性器の陰茎及び陰嚢が布片外側に容易に抜け出てしまったり、逆に、その布片の性器挿通口に挿通された男性性器部分の外径に比べて、その布片の性器挿通口の内径が小さ過ぎて、その布片の性器挿通口に挿通された男性性器部分が、布片の性器挿通口周縁部により圧迫されたりするのを、防ぐことができる。
さらに、その性器挿通口を通して、その布片内側の内袋に、男性性器の陰茎及び陰嚢を共に導入する際には、布片とパンツ本体との左右側縁の接合箇所に開口された指差し込み口を通して、手の指を内袋内側に入れることができる。そして、その指で男性性器の陰茎や陰嚢を前記性器挿通口から内袋内側に導入補助できる。
【０００９】
本発明のパンツにおいは、前記弾性紐が、前記布片の性器挿通口周縁部に沿ってスライド可能に装着されると共に、その弾性紐の一部が布片の性器挿通口周縁部から布片の外方に結ぶことが可能な状態に露出しており、その弾性紐の一部を結ぶ結び目の位置を変更することにより、その弾性紐が装着された布片の性器挿通口周縁部を伸縮させて、その布片の性器挿通口周縁部により囲まれた性器挿通口の口径が大小に調整可能に構成された構造とすることを好適としている。
【００１０】
このように構成されたパンツにあっては、その布片の性器挿通口周縁部から布片外方に露出した状態の弾性紐の一部を、長短に結び直すことができる。そして、その弾性紐の結び目の位置を変更して、その弾性紐を布片の性器挿通口周縁部に沿って前後にスライドさせることができる。そして、その性器挿通口周縁部を囲む弾性紐の長さを、長短に調整できる。そして、その弾性紐が装着された布片の性器挿通口周縁部を伸縮させて、その性器挿通口周縁部により囲まれた性器挿通口の口径を、その性器挿通口に挿通される男性性器部分の外径に合わせて、広げたり狭めたりできる。そして、その性器挿通口に比べて、それに挿通される男性性器部分の外径が小さ過ぎて、その性器挿通口から内袋に収容された男性性器の陰茎や陰嚢が布片外側に容易に抜け出てしまったり、逆に、その性器挿通口に比べて、それに挿通される男性性器部分の外径が大き過ぎて、その性器挿通口に挿通された男性性器部分が圧迫されたりするのを、確実に防ぐことができる。
【発明の効果】
【００１１】
以上説明したように、本発明のパンツによれば、その内袋内側に一旦挿入された男性性器の陰茎や陰嚢が、布片の性器挿通口を通して、布片外方に容易に抜け出てしまうのを、確実に防ぐことができる。そして、その男性性器の陰茎や陰嚢が、前記のように、パンツ着用者の下腹部や内股に密着した状態となるのを、布片により防ぐことができる。
また、布片の性器挿通口を通して、布片内側の内袋に男性性器の陰茎や陰嚢を導入する際には、布片とパンツ本体との左右側縁の接合箇所に開口された指差し込み口を通して、手の指を内袋内側に入れることができる。そして、その指で男性性器の陰茎及び陰嚢を共に前記性器挿通口から内袋内側に円滑かつ容易に導入補助できる。その結果、その布片の性器挿通口を通して、その内袋内側に男性性器の陰茎及び陰嚢を共に導入する作業を、手数を掛けずに容易かつ迅速に行うことが可能となる。
【発明を実施するための最良の形態】
【００１２】
図１ないし図３は本発明のパンツの好適な実施の形態を示し、図１はその正面図、図２はその側面図、図３はそのパンツを斜め上方から見た斜視図である。以下に、このパンツを説明する。
【００１３】
このパンツにおいては、そのパンツ本体１０の前部内側に、吸湿性の良いメッシュ材等からなる、幅の広いダイヤ帯状の布片２０が、パンツ本体の上下方向に長く宛がわれて、その帯状の布片２０の周縁部がパンツ本体１０に装着されている。具体的には、幅の広いダイヤ帯状の布片２０の上下及び左右の側縁が、図１に示されたように、パンツ本体１０に沿って逢着されている。そして、その布片２０内側に、男性性器の陰茎及び陰嚢を共に収容する、布片２０とパンツ本体１０とで囲まれた内袋３０が形成されている。
布片２０のほぼ中央には、図３に示されたように、男性性器の陰茎及び陰嚢を共に布片２０外側から内袋３０に挿入する縦に長い楕円状の性器挿通口２２が設けられている。
布片の性器挿通口周縁部２４に沿っては、性器挿通口２２に挿通された男性性器部分の外径に合わせて、その性器挿通口周縁部２４を伸縮させて、その性器挿通口周縁部２４により囲まれた性器挿通口２２の口径を大小に調整する伸縮可能な弾性紐４０が装着されている。具体的には、布片の性器挿通口周縁部２４に沿って、ゴム紐等の弾性紐４０が連続してリング状に途切れなく逢着されている。なお、弾性紐４０は、その一部が左右に分断されていても、構わない。そのようにしても、その布片の性器挿通口周縁部２４に沿って逢着された弾性紐４０により、性器挿通口２２の口径を大小に調整することは、十分に可能である。
布片２０とパンツ本体１０との左右側縁の接合箇所には、手の指を内袋３０内側に入れて、その指で男性性器の陰茎及び陰嚢を共に性器挿通口２２から内袋３０内側に導入補助する、指差し込み口５０が開口されている。具体的には、その指差し込み口５０が、手の指を布片２０内側に楽な姿勢で自然に挿入しやすいように、布片２０とパンツ本体１０との左右側縁の上方側の接合箇所に開口されている。
【００１４】
図１ないし図３に示したパンツは、以上のように構成されていて、その使用に際しては、その布片２０に設けられた性器挿通口２２を通して、内袋３０内側に、男性性器の陰茎及び陰嚢を共に挿入して、その内袋３０に、男性性器の陰茎及び陰嚢を共に収容する。
すると、その内袋３０に収容された男性性器が下腹部や内股に直接に密着した状態となるのを、布片２０により防ぐことができる。
また、その内袋３０に男性性器の陰茎及び陰嚢を共に収容した状態においては、その布片の性器挿通口周縁部２４に沿って装着された弾性紐４０を、その性器挿通口２２に挿通された男性性器の根本部等の部分の外径に合わせて、その性器挿通口周縁部２４と共に、適度に伸縮させることができる。そして、その弾性紐４０により、男性性器が勃起した際などにおいても、それに合わせて、その性器挿通口２２の口径を大小に調整できる。そして、その性器挿通口２２に挿通された男性性器部分の外径に対して、その性器挿通口２２の口径が大き過ぎて、その性器挿通口２２から内袋３０に収容された男性性器の陰茎及び陰嚢が布片２０外側に容易に抜け出てしまうのを防いだり、逆に、その性器挿通口２２に挿通された男性性器部分の外径に対して、その性器挿通口２２の口径が小さ過ぎて、その性器挿通口２２に挿通された男性性器部分が、その布片の性器挿通口周縁部２４に押されて、圧迫されたり、尿道を締め付けられたりするのを防ぐことができる。
さらに、その布片２０に設けられた性器挿通口２２を通して、その布片２０内側の内袋３０に、男性性器の陰茎及び陰嚢を共に導入する際には、布片２０とパンツ本体１０との左右側縁の接合箇所に開口された指差し込み口５０を通して、手の指を内袋３０内側に入れることができる。そして、その指を用いて、男性性器の陰茎や陰嚢を性器挿通口２２から内袋３０内側に容易かつ円滑に導入補助できる。
【００１５】
このパンツにおいは、図４に示したように、弾性紐４０が、布片の性器挿通口周縁部２４に沿ってスライド可能に装着された構造とすると良い。それと共に、その弾性紐４０の一部が、布片の性器挿通口周縁部２４から布片２０の外方に結ぶことが可能な状態に露出した構造とすると良い。そして、その布片２０の外方に露出した弾性紐４０の一部を結ぶ結び目４２の位置を長短に変更できる構造とすると良い。そして、その弾性紐の結び目４２の位置を長短に変更することにより、その弾性紐４０を布片の性器挿通口周縁部２４に沿って前後にスライドさせることができる構造とすると良い。そして、その性器挿通口周縁部２４を囲む弾性紐４０の長さを、長短に調整できる構造とすると良い。そして、その弾性紐４０の長さに合わせて、その弾性紐４０が装着された布片の性器挿通口周縁部２２を伸縮させることができる構造とすると良い。そして、その性器挿通口周縁部２４により囲まれた性器挿通口２２の口径を、その性器挿通口２２に挿通される男性性器部分の外径に合わせて、広げたり狭めたりできる構造とすると良い。そして、その性器挿通口２２に比べて、それに挿通される男性性器部分の外径が小さ過ぎて、その性器挿通口２２から内袋３０に収容された男性性器の陰茎や陰嚢が布片２０外側に抜け出てしまったり、逆に、その性器挿通口２２に比べて、それに挿通される男性性器部分の外径が大き過ぎて、その性器挿通口２２に挿通された男性性器部分が圧迫されたりするのを、確実に防ぐことができるようにすると良い。具体的には、例えば図４に示したように、布片の性器挿通口周縁部２４に沿ってスライド可能に装着された弾性紐４０の左右の上部を、布片の性器挿通口周縁部２４からパンツ本体１０の上端近くまでスライド可能に導く紐導通路２８を設けて、その紐導通路２８上端から、弾性紐４０の左右の上端を布片２０外側に長く露出させた状態とすると良い。そして、その弾性紐４０の左右の上端を結ぶ結び目４２の位置を、長短に自在に変更できるようにすると良い。弾性紐４０の胴部は、布片の性器挿通口周縁部２４に沿ってリング状に連続形成された紐挿通路２５に沿って、スライド可能に挿通しておくと良い。
そして、その布片２０外方に結ぶことが可能な状態に露出した、弾性紐４０の一部の結び目４２の位置を長短に変更できるようにすると良い。そして、その弾性紐４０を、布片の性器挿通口周縁部２４に沿って連続形成された紐挿通路２５に沿って前後にスライドさせて、その弾性紐４０が装着された布片の性器挿通口周縁部２４を、弾性紐４０の長さに合わせて、長短に伸縮させることができるようにすると良い。そして、その弾性紐４０で囲まれた布片の性器挿通口周縁部２４を適宜量伸縮させて、その弾性紐４０が装着された性器挿通口周縁部２４で囲まれた性器挿通口２２の口径を、広げたり狭めたりできるようにすると良い。そして、その性器挿通口２２から内袋３０に収容された男性性器の陰茎や陰嚢が、布片２０外側に抜け出たり、逆に、その性器挿通口２２に挿通され男性性器部分が圧迫されたりするのを、確実に防ぐことができるようにすると良い。
【００１６】
このパンツにおいは、図３に示したように、布片２０下端を、パンツ本体１０に逢着せずに、解放させておいても、良い。そして、その布片下端の解放部２７を通して、布袋３０の内外に空気を流通させて、布袋３０内側の蒸れを防いでも、良い。
【産業上の利用可能性】
【００１７】
本発明のパンツは、いわゆる一般にトランクス型のパンツと呼ばれるパンツに広く利用可能である。また、ボクサー型トランクスや、ブリーフと呼ばれるパンツにも、利用可能である。
【図面の簡単な説明】
【００１８】
【図１】本発明のパンツの正面図である。
【図２】本発明のパンツの側面図である。
【図３】本発明のパンツを斜め上方から見た斜視図である。
【図４】本発明のパンツを斜め上方から見た斜視図である。
【符号の説明】
【００１９】
１０  パンツ本体
２０  布片
２２  性器挿通口
２４  性器挿通口周縁部
３０  内袋
４０  弾性紐
４２  弾性紐の結び目
５０  指差し込み口
【図１】
2006274519.tif 000003
【図２】
2006274519.tif 000004
【図３】
2006274519.tif 000005
【図４】
2006274519.tif 000006